(57)【要約】【課題】外槽の振動によって生じる風圧により、筐体の側面パネルが振動し、またこれによって発生する騒音を低減することのできる洗濯機を提供すること。【解決手段】筐体１内に配設されてサスペンション９により支持された外槽５と、この外槽５内に配設されモータにより回転駆動される内槽１３とを備え、外槽５の両側面の軸方向に幅狭の平坦部７ａ，７ｂを設けた。  また、内槽１３の下向き回転方向ｂの側の筐体１の側面パネル１ａ又は両側の側面パネル１ａ，１ｂに複数の小孔１４を設けた。【選択図】図１
2007143632.tif 000002
【特許請求の範囲】
【請求項１】
筐体内に配設されてサスペンションにより支持された外槽と、該外槽内に配設されモータにより回転駆動される内槽とを備え、
前記外槽の両側面の軸方向に幅狭の平坦部を設けたことを特徴とする洗濯機。
【請求項２】
前記外槽に設けた平坦部を、該外槽の中心を通る水平軸を中央にして４５°以下の範囲に設けたことを特徴とする請求項１記載の洗濯機。
【請求項３】
筐体内に配設されてサスペンションにより支持された外槽と、該外槽内に配設されモータにより回転駆動される内槽とを備え、
前記内槽の下向き回転方向の側の筐体の側面パネル又は両側の側面パネルに複数の小孔を設けたことを特徴とする洗濯機。
【請求項４】
前記筐体の側面パネルの内側に、前記小孔を覆うように防音フィルタを設けたことを特徴とする請求項３記載の洗濯機。
【発明の詳細な説明】
【技術分野】
【０００１】
本発明は、洗濯機に係り、より詳しくは、外槽の振動によって発生した風圧により筐体の側面パネルが特に振動し、騒音が生じるのを防止する手段を備えた洗濯機に関するものである。
【背景技術】
【０００２】
従来のドラム式洗濯機に、外箱内に、外槽とこの外槽内に配置され、水平軸を中心として回転自在に支持された内槽と、内槽の脱水回転に対して内槽外周が上向きの速度を持つ側と、下向きの速度を持つ側の左右に取付けられた外槽支持装置とを備え、一方の外周支持装置に大きな減衰力を有する低減手段を設け、低減手段により上下方向の振動と左右方向の振動を小さく抑えるようにしたものがある（例えば、特許文献１参照）。
【０００３】
また、ドラム式洗濯機には、外槽の剛性を高め、かつ外槽の慣性モーメントを高くして振動を抑制するために、外槽の両側面の軸方向（長手方向）に周壁から突出した大きな平坦部を設け（図１の破線６ａ，６ｂ参照）、その下部をサスペンション取付用のブラケットとしたものがある（このようなドラム式洗濯機の文献は発見できなかった）。
【０００４】
【特許文献１】特開平９−２５３３８５号公報（第３−４頁、図１，２）
【発明の開示】
【発明が解決しようとする課題】
【０００５】
特許文献１のドラム式洗濯機は、減衰力の異なる外槽支持装置を設けることにより、振動の低減化をはかっているが、外槽の振動に伴って生じる風圧が外箱の側面パネルに当って振動を高め、騒音が発生するのを防止する手段が設けられていないので、振動及び騒音を十分に低減することができなかった。
【０００６】
また、外槽の両側面に大きな平坦部を設けたドラム式洗濯機においては、外槽の振動に伴って生じる風圧がより強くなって、筐体の側面パネルの振動が増大し、騒音が発生するという問題があった。
【０００７】
本発明は、上記の課題を解決するためになされたもので、外槽の振動によって生じる風圧により、筐体の側面パネルが振動し、またこれによって発生する騒音を低減することのできる洗濯機を提供することを目的としたものである。
【課題を解決するための手段】
【０００８】
本発明に係る洗濯機は、筐体内に配設されてサスペンションにより支持された外槽と、該外槽内に配設されモータにより回転駆動される内槽とを備え、前記外槽の両側面の両側の軸方向に幅狭の平坦部を設けたものである。
また、前記内槽の下向き回転方向の側の筐体の側面パネル又は両側の側面パネルに複数の小孔を設けたものである。
【発明の効果】
【０００９】
本発明は、外槽の両側面に幅狭の平坦部を設けたので、外槽の剛性を確保すると共に、外槽の振動により筐体の側面パネルに当る風圧を小さくすることができ、側面パネルの振動及びこれによって生ずる騒音を低減することができる。
また、筐体の側面パネルに複数の小孔を設けたので、外槽の振動によって生じた風圧が小孔から外部に逃げるため、側面パネルの振動及びこれによって生じる騒音を低減することができる。
【発明を実施するための最良の形態】
【００１０】
［実施の形態１］
図１は本発明の実施の形態１に係るドラム式洗濯機の説明図、図２は図１の外槽の平面図及び側面図である。
周囲が外装パネルと、下面にゴム脚３を有する底板２とによって囲まれた筐体１内には、斜め上方に向けて外槽５が配設されており、この外槽５は下部両側に設けたブラケット８ａ，８ｂと底板２との間に設けられた、弾性支持材１０と減衰装置１１からなるサスペンション９及び外槽５と筐体１との間に介装された弾性体１２によって支持されている。
【００１１】
１３は外槽５内に配設され、洗濯物が収容されてモータ（図示せず）により回転自在に支持された内槽である。なお、内槽１３は本実施の形態においては、矢印で示すように時計回りに回転する場合を示してあるが、内槽１３が反時計回りに回転するドラム式洗濯機であってもよい。
【００１２】
本実施の形態においては、図２に示すように、外槽５の両側面の軸方向の狭い範囲に平坦部７ａ，７ｂが設けられており、この平坦部７ａ，７ｂは外槽５の中心Ｏを通る水平軸を中央にして、角度θの範囲に設けたもので、その表面積Ａを、Ａ＝πｒｈ／４（但し、ｒは外槽５の半径、ｈは外槽５の軸方向の長さ）以下としたものである。すなわち、平坦部７ａ，７ｂを設ける範囲を、外槽５の中心を通る水平軸を中央にして、角度θを４５°以下に設定したものである。
【００１３】
本実施の形態は、上記のように外槽５の両側面に設けた平坦部７ａ，７ｂを幅狭に形成して面積を小さくしたので、外槽５の剛性を確保すると共に、外槽５の振動、特に脱水時の振動により筐体１の側面パネル１ａ，１ｂに当る風圧を小さくすることができ、側面パネル１ａ，１ｂの振動及びこれによって生ずる騒音を低減することができる。
【００１４】
［実施の形態２］
図３は本発明の実施の形態２に係るドラム式洗濯機の説明図である。なお、実施の形態１と同じ部分にはこれと同じ符号を付し、説明を省略する。
発明者らの実験結果によれば、ドラム式洗濯機においては、内槽１３が下向き方向の回転になる側（内槽１３が時計回り方向に回転する場合は、図３の矢印ｂ方向で、以下、下向き回転方向ｂという）の筐体１の側面パネル１ｂの振動が最も大きく、騒音も大きいことがわかった。
【００１５】
そこで、本実施の形態においては、実施の形態１に係るドラム式洗濯機において、内槽１３が下向き回転方向ｂの側の筐体１の側面パネル１ｂの、外槽５とほぼ対応する範囲に複数の小孔１４を設けたものである。
このように構成したことにより、内槽１３の回転に伴う外槽５の振動によって生じた風圧は、側面パネル１ｂに設けた小孔１４から外部に逃げるため、側面パネル１ｂの振動が低減し、これに伴う騒音を抑制することができる。
【００１６】
図４は本実施の形態の他の例を示すもので、本例は、図３で示した外槽５の側面に設けた平坦部７ａ，７ｂをすべて除去して、外槽５を円筒状に形成したものである。
本例においても、図３のドラム式洗濯機の場合とほぼ同様の効果を得ることができる。
【００１７】
図５は本実施の形態のさらに他の例を示すもので、本例は図３で示した筐体１の側面パネル１ｂと対向する側の側面パネル１ａ、すなわち、内槽２が上向き回転になる側（以下、上向き回転方向ａという）の側面パネル１ａにも、ほぼ同様に複数の小孔１４を設けたものである。
【００１８】
また、図６は本実施の形態のさらに別の例を示すもので、図４で示した筐体１の側面パネル１ｂと対向する側面パネル１ａにも、同様に複数の小孔１４を設けたものである。
図５，図６の例によれば、ドラム式洗濯機の筐体１の対向する両側面パネル１ａ，１ｂに複数の小孔１４を設けたので、側面パネル１ａ，１ｂの振動をさらに低減することができ、これに伴う騒音をより抑制することができる。
【００１９】
［実施の形態３］
図７〜図１０は本発明の実施の形態３に係るドラム式洗濯機の説明図である。なお、実施の形態２と同じ部分にはこれと同じ符号を付し、説明を省略する。
本実施の形態は、実施の形態２の小孔１４を設けた側面パネル１ａ又は１ａ，１ｂの内側に、小孔１４を覆うように防音フィルタ１５を設けたものである。
【００２０】
図７は実施の形態２の図３の側面パネル１ｂの内側に防音フィルタ１５を設けたものであり、図８は同じく図４の側面パネル１ｂの内側に防音フィルタ１５を設けたものである。
また、図９は実施の形態２の図５の側面パネル１ａ，１ｂの内側に、それぞれ防音フィルタ１５を設けたものであり、図１０は同じく図６の側面パネル１ａ，１ｂの内側に、それぞれ防音フィルタ１５を設けたものである。
【００２１】
本実施の形態によれば、ドラム式洗濯機の内槽１３の下向き回転方向の側の筐体１の側面パネル１ｂ、又は両側の側面パネル１ａ，１ｂに小孔１４を設けると共に、これら側面パネル１ｂ、又は１ａ，１ｂの内側に小孔１４を覆うように防音フィルタ１５を設けたので、外槽５の振動によって発生した風圧をこの小孔１４から外部に逃すことにより、側面パネル１ｂ又は１ａ，１ｂの振動を低減することができ、さらに、筐体１の内側からの音の流れを防音フィルタ１５によって抑制して、小孔１４を通過するときの流体音を低減することができる。
【００２２】
上記の実施の形態２の図３と図５、及び実施の形態３の図７と図９では、外槽５の両側に実施の形態１のような幅狭の平坦部７ａ，７ｂを設けた場合を示したが、図１に破線で示すように、外槽５の両側に大きな平坦部６ａ，６ｂを設けたドラム式洗濯機にも、実施の形態２又は３の発明を実施することができる。
【００２３】
また、上記の説明は、本発明をドラム式洗濯機に実施した場合を示したが、洗濯物を筐体の天面に設けた開口部から出し入れする縦型の洗濯機にも本発明を実施することができる。
【図面の簡単な説明】
【００２４】
【図１】本発明の実施の形態１に係るドラム式洗濯機の説明図である。
【図２】図１の外槽の平面図及び側面図である。
【図３】本発明の実施の形態２に係るドラム式洗濯機の説明図である。
【図４】実施の形態２の他の例の説明図である。
【図５】実施の形態２の他の例の説明図である。
【図６】実施の形態２の他の例の説明図である。
【図７】本発明の実施の形態３に係るドラム式洗濯機の説明図である。
【図８】実施の形態３の他の例の説明図である。
【図９】実施の形態３の他の例の説明図である。
【図１０】実施の形態３の他の例の説明図である。
【符号の説明】
【００２５】
１  筐体、１ａ，１ｂ  側面パネル、２  底板、５  外槽、６ａ，６ｂ、７ａ，７ｂ  平坦部、９  サスペンション、１３  内槽、１４  小孔、１５  防音フィルタ。
【図１】
2007143632.tif 000003
【図２】
2007143632.tif 000004
【図３】
2007143632.tif 000005
【図４】
2007143632.tif 000006
【図５】
2007143632.tif 000007
【図６】
2007143632.tif 000008
【図７】
2007143632.tif 000009
【図８】
2007143632.tif 000010
【図９】
2007143632.tif 000011
【図１０】
2007143632.tif 000012